(57)【要約】      （修正有）【課題】簡易に燃焼ガスを浄化することができる燃焼装置を提供する。【解決手段】燃焼装置は、燃焼室と、密閉されると共に、水が貯留された室５と、この室５と燃焼室を接続して、燃焼室内の燃焼ガスを排出する第１の排出通路４と、室５に貯留された水の面に対向するように設けられた第１の排出通路４の開口端部４３と、開口端部６１が室５内に臨み、室５内の燃焼ガスを外気に導く第２の排出通路６と、第２の排出通路６及び第１の排出通路４を介して燃焼室内の燃焼ガスを外気に導く排出用ファンとを備える。【選択図】図３
2011214790.tif 000002
【特許請求の範囲】
【請求項１】
燃焼室と、
密閉されると共に、水が貯留された室と、
この室と前記燃焼室を接続して前記燃焼室内の燃焼ガスを排出する第１の排出通路と、
前記室に貯留された水の面に対向するように設けられた前記第１の排出通路の開口端部と、
開口端部が前記室内に臨み、前記室内の燃焼ガスを外気に導く第２の排出通路と、
前記第２の排出通路及び前記第１の排出通路を介して前記燃焼室内の燃焼ガスを外気に導く排出用ファンと
を備えていることを特徴とする燃焼装置。
【請求項２】
第１の排出通路は、燃焼室から水平方向に張り出す水平通路と、該水平通路から略直角に曲がって室に貯留された水面に向かう垂直通路とを有し、
第２の排出通路の開口端部が前記室に貯留された水の面に対向するように設けられている
ことを特徴とする請求項１記載の燃焼装置。
【請求項３】
室の内部に設けられると共に、第１の排出通路の開口端部と第２の排出通路の開口端部との間であって、前記室の水面の下から前記水面より上に亘って位置する壁と、
この壁と前記室の天井面との間に前記第１の排出通路の開口端部からの燃焼ガスが前記第２の排出通路の開口端部に移動するのを許容する空間とを備えている
ことを特徴とする請求項１記載の燃焼装置。
【発明の詳細な説明】
【技術分野】
【０００１】
本発明は、燃焼装置に係り、特に、簡易に燃焼ガスを浄化することができる燃焼装置に関する。
【背景技術】
【０００２】
本件出願人は、先に「燃焼排ガスを乾式ろ過集じん部を通すことにより、乾式ろ過集じん部で前記燃焼排ガス中から固体粒子を除去して外気に放出する焼却装置にあって、乾式ろ過集じん部に水を噴射して乾式ろ過集じん部に付着した前記固体粒子を除去する水噴射部とを有し、焼却装置の運転停止時に、水噴射部より乾式ろ過集じん部に水を噴射させて乾式ろ過集じん部に付着した前記固体粒子を除去する燃焼装置」を開示した（例えば、特許文献１参照）。
【先行技術文献】
【特許文献】
【０００３】
【特許文献１】特開２００４−１６８４０号公報
【発明の概要】
【発明が解決しようとする課題】
【０００４】
しかしながら、上記特許文献に記載のものにあっては、浄化部が大がかりとなり、燃焼ガスを簡易に浄化できないという問題点があった。
【０００５】
本発明は、上記の問題点を防ぐようにした燃焼装置を提供することを目的とする。
【課題を解決するための手段】
【０００６】
請求項１記載の燃焼装置は、燃焼室と、密閉されると共に、水が貯留された室と、この室と前記燃焼室を接続して前記燃焼室内の燃焼ガスを排出する第１の排出通路と、前記室に貯留された水の面に対向するように設けられた前記第１の排出通路の開口端部と、開口端部が前記室内に臨み、前記室内の燃焼ガスを外気に導く第２の排出通路と、前記第２の排出通路及び前記第１の排出通路を介して前記燃焼室内の燃焼ガスを外気に導く排出用ファンとを備えているものである。
【０００７】
また、請求項２記載の燃焼装置は、請求項１記載の燃焼装置において、第１の排出通路は、燃焼室から水平方向に張り出す水平通路と、該水平通路から略直角に曲がって室に貯留された水面に向かう垂直通路とを有し、第２の排出通路の開口端部が前記室に貯留された水の面に対向するように設けられているものである。
【０００８】
また、請求項３記載の燃焼装置は、請求項１記載の燃焼装置において、室の内部に設けられると共に、第１の排出通路の開口端部と第２の排出通路の開口端部との間であって、前記室の水面の下から前記水面より上に亘って位置する壁と、この壁と前記室の天井面との間に前記第１の排出通路の開口端部からの燃焼ガスが前記第２の排出通路の開口端部に移動するのを許容する空間とを備えているものである。
【発明の効果】
【０００９】
請求項１記載の燃焼装置によれば、排出用ファンにより、第２の排出通路及び第１の排出通路を介して燃焼室内の燃焼ガスを外気に導く際、第１の排出通路の開口端部は、室に貯留された水の面に対向するように設けられているため、第１の排出通路の開口端部から排出される燃焼ガスは、室に貯留されたの水の面に衝突し、該水と接触し、燃焼ガスに含まれる塵埃、二酸化炭素等が該水に吸収され、該燃焼ガスは浄化される。
【００１０】
また、請求項２記載の燃焼装置によれば、上述した請求項１記載の発明の効果に加え、第１の排出通路は、燃焼室から水平方向に張り出す水平通路と、該水平通路から略直角に曲がって室に貯留された水面に向かう垂直通路とを有しているため、第１の排出通路の開口端部から排出される燃焼ガスは、室に貯留された水の面に効率よく衝突し、該水と接触し、燃焼ガスに含まれる塵埃、二酸化炭素等が該水に吸収され、該燃焼ガスが浄化され、また、第２の排出通路の開口端部が室に貯留された水の面に対向するように設けられているため、第２の排出通路の開口端部を介して燃焼ガスを吸引する際、波だった水面の水と接触し、燃焼ガスに含まれる塵埃、二酸化炭素等が該水に吸収され、該燃焼ガスが浄化される。
【００１１】
また、請求項３記載の燃焼装置によれば、上述した請求項１記載の発明の効果に加え、第１の排出通路の開口端部からの燃焼ガスは、壁の上部に設けられた空間を介さなければ、第２の排出通路の開口端部に達せないようにしているため、室内の燃焼ガスの滞留時間を長く取って、燃焼ガスに含まれる塵埃等を分離させることができる。
【図面の簡単な説明】
【００１２】
【図１】図１は、本発明の一実施例の燃焼装置の概略的構成図である。
【図２】図２は、図１の燃焼室の概略的断面図である。
【図３】図３は、図１の室の概略的断面図である。
【図４】図４は、図１の第２の排出通路の概略的断面図である。
【発明を実施するための形態】
【００１３】
本発明の一実施例の燃焼装置を図面を参照して説明する。
図１において、１は燃焼装置であって、燃焼装置１は、燃焼室２でバイオマス等（例えば、汚泥）を熱源として、外部より空気を供給して燃焼させる装置である。
燃焼室１で燃焼した燃焼ガスは、熱交換装置３で熱交換した後、後述する排出通路４、６を介して、外気へと導かれるようになっている。
また、図２に示す２１は、燃焼装置１内へバイオマス等を入れる投入口で、２２は、投入口２１を開閉する蓋である。２３は、バイオマス等を連続的に投入することができる連続供給部である。
また、図１に示す２４は外気導入ファンで、２５は外気導入ファン２４により吸引された外気を燃焼室２内に導く外気供給通路である。
【００１４】
また、図２に示す熱交換装置３は、上部タンク３１と下部タンク３２を複数の水管３３で接続され、燃焼室２の燃焼ガスと熱交換して蒸気を発生させる、所謂ボイラである。
【００１５】
燃焼室２内の燃焼ガスは、第１の排出通路４を介して燃焼室２外へと排出される。燃焼室２外へと排出される時の温度は、約４００℃〜約５００℃である。第１の排出通路４は、燃焼室２と室５を接続している。この室５は、図３に示すように、密閉されると共に、水が貯留されている。
なお、第１の排出通路４は、燃焼室１から水平方向に張り出す水平通路４１と、該水平通路４１から略直角に曲がって室５に貯留された水面に向かう垂直通路４２とを有している。
そして、第１の排出通路４の開口端部４３は、室５内に臨み、望ましくは、室５に貯留された水の面に対向するように設けられている（図３参照）。
また、６は、室５内の燃焼ガスを外気に導く第２の排出通路で、第２の排出通路６の開口端部６１は、室５内に臨み、望ましくは、室５に貯留された水の面に対向するように設けられている（図３参照）。
また、図３に示す５１は、室５の内部に設けられると共に、第１の排出通路４の開口端部４３と第２の排出通路６の開口端部６１との間であって、室５の水面の下から前記水面より上に亘って位置する壁である。そして、５３は空間で、空間５３は、壁５１と室５の天井面５２との間に第１の排出通路４の開口端部４３からの燃焼ガスが第２の排出通路６の開口端部６１に移動するのを許容している。
【００１６】
また、図１及び図４に示す７は、第２の排出通路６及び第１の排出通路４を介して燃焼室２内の燃焼ガスを外気に導く排出用ファンである。
第２の排出通路６は、排出用ファン７と室５を接続する通路６２、排出用ファン７と煙突６４を接続する通路６３、煙突６４を有している。
煙突６４内には、水を噴霧するシャワーリング部８と、シャワーリング部８からの水を受け、煙突６４の外へと導く排出通路９とを備えている。なお、図４に示す１０は、排水を溜めるタンクである。
【００１７】
従って、燃焼室２でバイオマス等（例えば、汚泥）を熱源として、外部より空気を供給して燃焼させ、燃焼ガスは、熱交換装置３で、熱交換した後、第１の排出通路４を介して、室５に導かれる。
そして、排出用ファン７により、第２の排出通路６及び第１の排出通路４を介して燃焼室２内の燃焼ガスを外気に導く際、第１の排出通路４の開口端部４３は、室５に貯留された水の面に対向するように設けられているため、第１の排出通路４の開口端部４３から排出される燃焼ガスは、室５に貯留された水の面に衝突し、該水の面を波立たせ、該水と接触し、燃焼ガスに含まれる塵埃、二酸化炭素等が該水に吸収され、該燃焼ガスは浄化される。
また、第１の排出通路４の開口端部４３からの燃焼ガスは、壁５１の上部に設けられた空間５３を介さなければ、第２の排出通路６の開口端部６１に達せないようにしているため、室５内の燃焼ガスの滞留時間を長く取って、燃焼ガスに含まれる塵埃等を分離させやすいようにしている。
また、第２の排出通路６の開口端部６１が室５に貯留された水の面に対向するように設けられているため、第２の排出通路６の開口端部６１を介して燃焼ガスを吸引する際、波だった水面の水と接触し、燃焼ガスに含まれる塵埃、二酸化炭素等が該水に吸収され、該燃焼ガスが浄化される。
通路６２、６３を介して、煙突６４内に導かれた燃焼ガスは、シャワーリング部８からの水と接触して、燃焼ガスに含まれる塵埃等を除去され、外気へと導かれることとなる。
【符号の説明】
【００１８】
１      燃焼装置
２      燃焼室
４      第１の排出通路
５      室
６      第２の排出通路
７      排出用ファン
【図１】
2011214790.tif 000003
【図２】
2011214790.tif 000004
【図３】
2011214790.tif 000005
【図４】
2011214790.tif 000006